(57)【特許請求の範囲】
【請求項１】
自動車補修塗装の調色作業に用いられる調色補助カードであって、台となるシート上に、白色及び黒色の混色により明度が調整されてなる複数の明度の異なる塗色の色見本がシート一枚に並べて備えられている、もしくは白色及び黒色の混色により明度が調整されてなる塗色の色見本がシート一枚に一色で設けられているカードであって、該色見本上にカラー上塗り塗料を塗装して、該カラー上塗り塗料の塗色の正常塗膜面との色一致性を判定するための調色補助カード。
【請求項２】
さらに白色及び黒色部分からなる隠蔽塗色判定部位を備えており、該隠蔽塗色判定部上にカラー上塗り塗料を塗装して、該隠蔽塗色判定部位が見えなくなる膜厚で塗装された時の該カラー上塗り塗色を隠蔽塗色として判定するための請求項１記載の調色補助カード。
【請求項３】
さらに色見本上に塗装するカラー上塗り塗料の色Ｎｏ．、使用塗料名、調色に用いた原色種、その配合率の記入欄を有する請求項１又は２記載の調色補助カード。
【発明の詳細な説明】
【０００１】
【発明の属する技術分野】
本発明は、主に自動車補修塗装における調色補助カードに関し、特に補修対象となる上塗り塗色が隠蔽性の悪い塗色である場合に、補修塗色との色一致性を高められるプライマーの選択や上塗り塗料の調色作業を簡便化するための調色補助カードに関する。
【０００２】
【従来技術及びその課題】
自動車外板などの塗膜面に発生した損傷の補修は、通常、該損傷部を中心にその周囲までサンディングし、パテ付けした後、プライマーサーフェーサー塗装を行ない、さらに上塗り塗装を行なうものである。
【０００３】
上記自動車外板などの上塗り塗色が隠蔽性の悪い塗色である場合、該塗色の上塗り塗料を厚膜塗装する傾向にあり、そのため該上塗り塗料が特にラッカータイプでは密着性、硬度、耐水性等の塗膜性能が低下する不具合があった。
【０００４】
そこで上記補修においては、隠蔽性が良好で明度調整可能なプライマー（白〜黒）や上塗り塗色の近似色に調色されたカラープライマーを塗装した上に、上記上塗り塗料を塗装して正常塗膜面との色一致性を高め、該上塗り塗料の薄膜塗装を可能にしてきた。
【０００５】
しかしながら上記カラープライマーを用いた場合には、上塗り塗色に合わせての調色で複数色を計量混合せねばならず作業性が非常に悪い。また明度調整可能なプライマーを用いた場合には、上塗り塗料の塗り重ね回数（膜厚）によって、その塗色が変化しやすいため、調色毎に各種明度のプライマー塗板を作成しこの上に塗装して色味を確認する必要があるという不具合があった。
【０００６】
【課題を解決するための手段】
本発明者は、上記問題を解決すべく鋭意検討した結果、白色及び黒色の混色により明度が調整されてなる複数の明度の異なる塗色の色見本が備えられている調色補助カードを用意することにより、調色毎に各種明度のプライマーを塗装する手間を省略でき、さらに得られた塗装カードが次回調色時にも利用可能であることを見出し本発明を完成するに至った。
【０００７】
即ち本発明は、
１．自動車補修塗装の調色作業に用いられる調色補助カードであって、台となるシート上に、白色及び黒色の混色により明度が調整されてなる複数の明度の異なる塗色の色見本がシート一枚に並べて備えられている、もしくは白色及び黒色の混色により明度が調整されてなる塗色の色見本がシート一枚に一色で設けられているカードであって、該色見本上にカラー上塗り塗料を塗装して、該カラー上塗り塗料の塗色の正常塗膜面との色一致性を判定するための調色補助カード、
２．さらに白色及び黒色部分からなる隠蔽塗色判定部位を備えており、該隠蔽塗色判定部上にカラー上塗り塗料を塗装して、該隠蔽塗色判定部位が見えなくなる膜厚で塗装された時の該カラー上塗り塗色を隠蔽塗色として判定するための１項記載の調色補助カード、
３．さらに色見本上に塗装するカラー上塗り塗料の色Ｎｏ．、使用塗料名、調色に用いた原色種、その配合率の記入欄を有する１又は２項記載の調色補助カード、を提供するものである。
【０００８】
【発明の実施の形態】
本発明の調色補助カードは、台となるシート上に、白色及び黒色の混色により明度（L*値）が調整されてなる複数の明度の異なる塗色の色見本がシート一枚に並べて備えられている、もしくは該明度の異なる塗色の色見本がシート一枚に一色で設けられているものである。具体的には、白色〜グレー色〜黒色の複数種の塗色の色見本が使用される。色見本の数やレイアウトなどは適宜選択可能であり、シートの全面あるいは一部分に配置されることができる。台となるシートは、紙でもプラスチックフィルムであってもよい。各塗色の色見本は、通常、半艶程度に塗装又は印刷されたものである。
【０００９】
本発明の調色補助カードは、さらに白色及び黒色部分からなる隠蔽塗色判定部位を備えていることが望ましい。白色及び黒色部分は、線状模様や帯状模様、市松模様、黒枠の多角形などいずれであってもよく、これら模様が見えなくなる膜厚で塗装された時の塗色を隠蔽塗色として判定するものである。
【００１０】
本発明の調色補助カードは、調色作業において、色見本や隠蔽塗色判定部位が塗装又は印刷された側の面上にカラー上塗り塗料が塗装されて用いられるものである。これによって、例えば明度調整可能なプライマー（白〜黒）を塗装した上にカラー上塗り塗料を塗装して正常塗膜面との色一致性を得る一般的な自動車補修塗装においては、カラー上塗り塗料、特に隠蔽性の悪い塗色のカラー上塗り塗料をこの調色補助カード上に塗装した際、その塗色が判定されるものである。具体的にはその色味によって最適なプライマーを選択したり、該カラー上塗り塗料の塗り重ね回数（膜厚）による塗色の変化を確認したり、該カラー上塗り塗料の隠蔽塗色の確認、さらには得られた塗装カードを実車と比べてカラー上塗り塗料の調色微調整を行なったりすることが可能である。
【００１１】
また調色補助カードの色見本と並べて、あるいは色見本の面と反対側の面に、塗装するカラー上塗り塗料の色Ｎｏ．や使用塗料名、調色に用いた原色種とその配合率（％）などを記入しておくことによって、得られた塗装カードを次回調色時にも利用することが可能である。
【００１２】
【実施例】
以下、図面によって本発明を具体的に説明する。図１〜図３は、夫々本発明の一実施例を示す調色補助カードの平面図である。
【００１３】
図１に示す調色補助カードは、シート１の片面に、明度４０の色見本（ダークグレー）２が印刷されており、その色見本の中央には隠蔽塗色判定部位として黒枠の四角模様（枠内が白色）３を備えている。シート１のもう片面には、色見本の上に塗装するカラー上塗り塗料の色Ｎｏ．や使用塗料名、使用原色種とその配合率（％）などを記入可能な欄が設けられている。
【００１４】
図２に示す調色補助カードは、シート１の片面の上半分に明度４０の色見本（ダークグレー）２が印刷されており、その色見本の中央には隠蔽塗色判定部位として黒枠の四角模様（枠内が白色）３を備えている。この面の下半分には色見本の上に塗装するカラー上塗り塗料の色Ｎｏ．や使用塗料名、使用原色種とその配合率（％）などを記入可能な欄が設けられている。シート１のもう片面には、明度５５の色見本（グレー）４が印刷されている以外は、反対面と同様のレイアウトで隠蔽塗色判定部位やカラー上塗り塗料の色Ｎｏ．などを記入可能な欄が設けられている。
【００１５】
図３に示す調色補助カードは、シート１の片面に、明度４０の色見本（ダークグレー）２と明度５５の色見本（グレー）４が印刷されており、その色見本の中央には隠蔽塗色判定部位として黒枠の四角模様（枠内が白色）３を備えている。シート１のもう片面には、色見本の上に塗装するカラー上塗り塗料の色Ｎｏ．や使用塗料名、使用原色種とその配合率（％）などを記入可能な欄が設けられている。
【００１６】
これら調色補助カードは、その色見本や隠蔽塗色判定部位上にカラー上塗り塗料が塗装されて用いられる。これらは夫々に明度の異なる色見本のカードを複数種用意しておくことが望ましい。
【００１７】
【発明の効果】
本発明の調色補助カードを用いることにより、カラー上塗り塗料、特に補修対象となる上塗り塗色が隠蔽性の悪い塗色である場合の調色毎に各種明度のプライマーの塗装板を用意する手間を省略でき、さらに得られた塗装カードが次回調色時にも利用可能である。
【図面の簡単な説明】
【図１】本発明の一実施例を示す調色補助カードの平面図である。
【図２】本発明の別の一実施例を示す調色補助カードの平面図である。
【図３】本発明のさらに別の一実施例を示す調色補助カードの平面図である。
【符号の説明】
1  シート
２  明度４０の色見本（ダークグレー）
３  隠蔽塗色判定部位
４  明度５５の色見本（グレー）
【図１】
0004913956.tif 000002
【図２】
0004913956.tif 000003
【図３】
0004913956.tif 000004